【手続補正書】
【提出日】平成17年7月12日(2005.7.12)
【手続補正１】
【補正対象書類名】明細書
【補正対象項目名】特許請求の範囲
【補正方法】変更
【補正の内容】
【特許請求の範囲】
【請求項１】  プロセス液体流のダクトの中を流れているプロセス液体流中に、液状化学薬剤を導入する方法であって：
（ａ）前記ダクトの壁に混合装置を備え；
（ｂ）液状化学薬剤を前記混合装置の第一の管の中に導入し；
（ｃ）供給液体を前記混合装置の第二の管の中に導入し；そして、
（ｄ）前記第一の管及び第二の管からの前記液状化学薬剤及び前記供給液体を、少なくとも２個の流路を介して、実質的に同時に、前記プロセス液体流中に供給して；前記液状化学薬剤及び前記供給液体を、プロセス液体流を実質的に横断して注入するようにし、かつ、前記液状化学薬剤を、前記供給液体の手段により、前記プロセス液体流中に入れる；
ことを包含する、前記の方法。
【請求項２】  前記プロセス液体流が、抄紙機に供給するための繊維懸濁液である、請求項１に記載の方法。
【請求項３】  前記プロセス液体流が、抄紙機に供給するための繊維懸濁液であり、前記供給液体が、繊維プロセス装置から得られる循環した液である、請求項１に記載の方法。
【請求項４】  前記供給液体が、抄紙機から得られる白水、及び、フィルター装置から得られるろ液、の少なくとも１つである、請求項３に記載の方法。
【請求項５】  前記プロセス液体流が、抄紙機に供給するための繊維懸濁液であり、前記繊維懸濁液が、供給液体として使用される、請求項１に記載の方法。
【請求項６】  前記プロセス液体が、抄紙機に供給するための繊維懸濁液であり；しかも、前記方法が、抄紙機に第一の流速で前記繊維懸濁液を供給する工程（ｅ）；及び、抄紙機に供給される前記繊維懸濁液の第一の流速の少なくとも５倍の第二の流速で、前記液状化学薬剤と前記供給液体との混合物を供給する工程（ｆ）：を更に含む、請求項１に記載の方法。
【請求項７】  前記液状化学薬剤を、前記混合装置の上流で希釈する、請求項１に記載の方法。
【請求項８】  プロセス液体流のパイプの中を流れているプロセス液体流中に、液状化学薬剤を導入するための装置であって、該装置が：
供給液体用の供給液体管と、液状化学薬剤用の液状化学薬剤管と、少なくとも１つの開口とを有する本質的に中空のケーシングを含み、前記液状化学薬剤と前記供給液体とが前記ケーシングから前記プロセス液体流のパイプ中に前記開口を通って放出されるように適合されており；しかも、
前記プロセス液体流のパイプの中を流れている前記プロセス液体流を実質的に横断して前記供給液体と前記液状化学薬剤とを放出するように、前記の少なくとも１つの開口を向けるようなやり方で、前記ケーシングが、前記プロセス液体流のパイプの壁に取付けられているように適合されており；しかも、
前記供給液体と前記液状化学薬剤とが、前記ケーシングから前記開口を通る前記の放出と実質的に同時に接触するように、前記供給液体管と前記液状化学薬剤管との少なくとも１つが、前記の少なくとも１つの開口の近傍において開いている、前記装置。
【請求項９】  前記供給液体管と前記液状化学薬剤管の少なくとも１つが、前記放出開口の内側に開いている、請求項８に記載の装置。
【請求項１０】  前記ケーシングの内側に配置された部材を更に含み、前記部材は、前記液状化学薬剤管の一部を形成し、前記ケーシングから前記液状化学薬剤を放出するための出口開口を有する、請求項８に記載の装置。
【請求項１１】  前記供給液体管が２つの部分から形成されており、その一方の部分は、前記部材と前記ケーシングとの間を通っており、その他方の部分は、供給液体パイプとして前記部材を通り抜けている、請求項８に記載の装置。
【請求項１２】  前記液状化学薬剤管が、環状の出口開口の中で終端しており、前記供給液体用の前記供給液体パイプが環状開口の内側に配置されている、請求項１１に記載の装置。
【請求項１３】  第三の液体用の追加の管を更に含んでおり、当該追加の管は、前記少なくとも１つの放出開口の近傍に伸びている、請求項１０に記載の装置。
【請求項１４】  前記の追加の管は、前記部材の内部の中心部に配置されている、請求項１３に記載の装置。
【請求項１５】  前記の追加の管は、他の化学薬剤の源、清浄な水の源、白水の源、クリアろ液の源、濁りろ液の源、及びプロセス液の源の１つと、流体連通して配置されている、請求項１３に記載の装置。
【請求項１６】  パイプ壁を有し、前記プロセス液体が通って流れるプロセス液体流パイプと；
前記プロセス液体流パイプの内側及びその中の前記プロセス液体流と流体連通するように、前記プロセス液体流パイプの周辺上に配置された少なくとも１つの化学薬剤導入装置と；
を備えた、プロセス液体流中に化学薬剤を導入するシステムであって、
前記化学薬剤導入装置は：
（ｉ）供給液体用の供給液体管と、液状化学薬剤用の液状化学薬剤管と、少なくとも１つの開口とを有する本質的に中空のケーシングを含み、前記液状化学薬剤と前記供給液体とが前記ケーシングから前記プロセス液体流のパイプ中に前記開口を通って放出されており；しかも、
（ｉｉ）前記プロセス液体流のパイプの中を流れている前記プロセス液体流を実質的に横断して前記供給液体と前記液状化学薬剤とを放出するように、前記の少なくとも１つの開口を向けるようなやり方で、前記ケーシングが、前記プロセス液体流パイプのパイプ壁に取付けられており；しかも、
前記供給液体と前記液状化学薬剤とが、前記ケーシングから前記開口を通る前記の放出と実質的に同時に接触するように、前記供給液体管と前記液状化学薬剤管との少なくとも１つが、前記の少なくとも１つの開口の近傍において開いている、前記システム。
【請求項１７】  前記プロセス液体流パイプが、円筒形、長円形、及び長方形のどれか１つであり、しかも、前記システムが、複数の化学薬剤導入装置を備え、それにより、前記複数の化学薬剤導入装置が、前記プロセス液体流パイプの内部と流体連通して前記プロセス液体流パイプの反対側上に配置されている、請求項１６に記載のシステム。
【請求項１８】  プロセス液の源を更に備えた前記システムであって、前記供給液体管が、供給液体として使用するためのプロセス液を受けるためのプロセス液の源と流体連通して配置されている、請求項１６に記載のシステム。
【請求項１９】  前記プロセス液体流が、ヘッドボックスと受入管とを持つヘッドボックススクリーンを有する抄紙機に供給されるべき繊維懸濁液であり、しかも、前記化学薬剤導入装置が、前記ヘッドボックススクリーンの前記受入管の１つに固定されており、前記ヘッドボックススクリーンから前記抄紙機の前記ヘッドボックスまで通じているダクトを備え、前記供給開口がその中に開いている、請求項１６に記載のシステム。
【請求項２０】  前記供給液体は、ヘッドボックスに供給される白水、クリアろ液、濁りろ液、又は繊維懸濁液の１つである、請求項１６に記載のシステム。
【請求項２１】  前記液状化学薬剤と供給液体との間の接触する点から、前記プロセス液体流用の前記プロセスパイプまでの距離が、３０センチメートル未満である、請求項１６に記載のシステム。
【請求項２２】  抄紙機に供給されるべき繊維懸濁液流中に化学薬剤を導入するために、使用される、請求項１６に記載のシステム。
【手続補正２】
【補正対象書類名】明細書
【補正対象項目名】００３５
【補正方法】変更
【補正の内容】
【００３５】
前述から理解されるように、保留用化学薬剤を繊維懸濁液流の中に供給しそして混合する方法が開発された。本明細書に述べたことに関して、当業者は、図面が、必要により一緒に使用するのに適当な発明の多くの異なった態様を例示していることに注目しなければならない。さらに、当業者は、本発明が製紙における保留用化学薬剤の混合に関連してだけ本明細書に例示されたけれど、また、本発明は、他の関連事項の均質性の要求、および同時に、化学薬剤の液体の中への穏やか混合も利用されることに注目しなければならない。さらに、当業者は、図面の中に例示された態様のどれもが、特許請求の範囲によって適用されかつ保護される配列が図面において例示された全体よりもさらに単純であるかもしれない可能性を排除していないことに注目しなければならない。それ故、適用の分野および本発明の保護範囲は、特許請求の範囲だけによって記載される。
本発明に関して、更に以下の内容を開示する。
（１） 混合装置内で液状化学薬剤を第二の液体中に混合する方法であって、
（ａ）混合装置内で環状流（ａｎｎｕｌａｒ  ｆｌｏｗ）が前記第二の液体から形成され、
（ｂ）うず巻き状に形成された化学薬剤流（ｓｐｉｒａｌ−ｆｏｒｍｅｄ  ｃｈｅｍｉｃａｌ  ｆｌｏｗ）を形成するために、前記薬剤が混合装置の中に接線方向に供給され、
（ｃ）前記うず巻き状に形成された化学薬剤流が、前記第二の液体から形成された前記環状流の内側に導かれ、そして、
（ｄ）前記薬剤が、前記第二の液体中に混合されるようにする、
ことを特徴とする、前記の混合方法。
（２） 前記うず巻き状に形成された化学薬剤流の内側から、第三の流れが、前記化学薬剤流から形成された流れの中に及び前記第二の液体から形成された流れの中に供給されることを特徴とする、（１）に記載の方法。
（３） 前記第二の液体が新鮮な水又はきれいな水であることを特徴とする、（１）に記載の方法。
（４） 前記第三の流れが新鮮な水又はきれいな水から形成されることを特徴とする、（２）に記載の方法。
（５） 前記第三の流れが化学薬剤溶液から形成されることを特徴とする、（２）に記載の方法。
（６） 前記化学薬剤が、製紙で使用される保留用化学薬剤（ｒｅｔｅｎｔｉｏｎ  ｃｈｅｍｉｃａｌ）であるか又は少なくとも部分的に重合鎖（ｐｏｌｙｍｅｒｉｃ  ｃｈａｉｎｓ）を含む他の化学薬剤であることを特徴とする、（１）に記載の方法。
（７） 前記化学薬剤溶液に含有される化学薬剤が、製紙で使用される保留用化学薬剤であるか又は少なくとも部分的に重合鎖から成る他の化学薬剤であることを特徴とする、（５）に記載の方法。
（８） 工程（ｄ）が、前記うず巻き状に形成された化学薬剤流及び前記第二の液体から形成された前記環状流を、抄紙機（ｐａｐｅｒ  ｍａｃｈｉｎｅ）のヘッドボックスへ行く繊維懸濁液流の中に放出するにより実施されることを特徴とする、（６）に記載の方法。
（９） 工程（ｄ）で、抄紙機へ導かれた繊維懸濁液流の中にこれらが本質的に供給されている時に、前記薬剤が前記第二の液体中に混合されるようにすることを特徴とする、（６）に記載の方法。
（１０） 前記第二の液体が、ペーパーミル（ｐａｐｅｒ  ｍｉｌｌ）、白水、クリアろ液（ｃｌｅａｒ  ｆｉｌｔｒａｔｅ）、濁りろ液（ｔｕｒｂｉｄ  ｆｉｌｔｒａｔｅ）又は保留用化学薬剤フィード液（ｆｅｅｄ  ｌｉｑｕｉｄ）として使用される他の適切なきれいでない液体からの循環液であることを特徴とする、（８）又は（９）に記載の方法。
（１１） 前記化学薬剤流が、保留用化学薬剤溶液か又は少なくとも部分的に重合鎖を含む他の化学薬剤から形成されることを特徴とする、（５）に記載の方法。
（１２） 前記第三の流れが、ペーパーミル、白水、クリアろ液、濁りろ液又はその目的のための適切な他のきれいでない液体からの循環液などの化学薬剤フィード液から形成されることを特徴とする、（２）に記載の方法。
（１３） 前記保留用化学薬剤溶液とフィード液との混合物が、ヘッドボックススクリーンと抄紙機のヘッドボックスとの間にある、抄紙機内に導かれた前記繊維懸濁液流の中に供給されることを特徴とする、（１０）又は（１０）及び（１２）に記載の方法。
（１４） 使用されるフィード液が、適当なプロセス装置からの、例えば白水フィルターからの、クリアろ液又は濁りろ液であることを特徴とする、（１０）又は（１２）に記載の方法。
（１５） 工程（ｄ）で、使用される第二の液体、すなわち、いわゆるフィード液、が抄紙機へ導かれる繊維懸濁液であることを特徴とする、（６）に記載の方法。
（１６） 抄紙機へ導かれる繊維懸濁液の中に供給されたフィード液と保留用化学薬剤溶液との混合物の流速が、前記供給工程において、抄紙機へ導かれる繊維懸濁液の流速の少なくとも３倍、好ましくは５倍であることを特徴とする、（６）に記載の方法。
（１７） ２つの成分を含む保留用助剤（ｒｅｔｅｎｔｉｏｎ  ａｉｄ：歩留り向上剤）の混合が、抄紙機へ導かれた繊維懸濁液流の中にこれらが本質的に供給されている時に、実施されることを特徴とする、（６）及び（１１）に記載の方法。
（１８） 前記第二の流れ及び第三の流れの少なくとも一つが調整可能である（ａｄｊｕｓｔａｂｌｅ）ことを特徴とする、（１）及び（２）または（６）及び（７）に記載の方法。
（１９） 保留用化学薬剤溶液とフィード液との混合物が、少なくとも部分的にスパイラルジェット（ｓｐｉｒａｌ  ｊｅｔ）の形の繊維懸濁液流の中に供給されることを特徴とする、（８）又は（９）に記載の方法。
（２０） 一つの出口管（ｏｕｔｌｅｔ  ｃｏｎｄｕｉｔ）及び第二の液体及び混合されるべき化学薬剤のために中に入口管（ｉｎｌｅｔ  ｃｏｎｄｕｉｔｓ）を有する少なくともケーシング（ｃａｓｉｎｇ）５０を含む混合装置３４内で、液状化学薬剤を第二の液体中に混合するための装置であって、装置３４が、更に少なくとも；
ケーシングと本質的に同心状でありケーシング５０の内側に配置された部材６０であって、その外側シェル５９を介して（ｖｉａ）前記ケーシング５０の内部を該シェル５９の外側の環状空間と該シェル５９の内側の空間とに分ける前記の部材；及び
前記シェル５９の内側の空間に接続された化学薬剤管（ｃｈｅｍｉｃａｌ  ｃｏｎｄｕｉｔ）５６；
を含むことを特徴とする、前記装置。
（２１） 前記ケーシング５０が本質的に軸対称であることを特徴とする、（２０）に記載の装置。
（２２） 前記シェル５９が軸対称であることを特徴とする、（２０）に記載の装置。
（２３） 前記ケーシング５０の内側で前記部材６０の外側シェル５９により分けられた環状空間が、第二の液体の供給装置４４、１４４に接続されていることを特徴とする、（２０）に記載の装置。
（２４） 外側シェル５９と共に部材６０の内側に環状空間を与える第二のシェル６１が、部材６０の中に外側シェル５９の内側にあることを特徴とする、（２０）に記載の装置。
（２５） 化学薬剤管５６が、シェル５９の内部側の中に接線方向に開いていることを特徴とする、（２０）又は（２４）に記載の装置。
（２６） シェル６１により定義された前記空間が、軸対称であり、第二の液体の入口ダクト（ｉｎｌｅｔ  ｄｕｃｔ）４４、１４４と接続されていることを特徴とする、（２４）に記載の装置。
（２７） シェル６１によりその内側に定義された前記空間が、第三の液体の入口ダクト１６４と接続されていることを特徴とする、（２４）に記載の装置。
（２８） 前記装置３４の軸方向に前記部材６０の外側シェル５９の延長部（ｅｘｔｅｎｓｉｏｎ）が調整可能であることを特徴とする、（２０）に記載の装置。
（２９） 前記装置３４の軸方向に前記部材６０の内側シェル６１の延長部が調整可能であることを特徴とする、（２４）に記載の装置。
（３０） 第二の液体の入口ダクト４４、１４４内に、流れ調節装置（ｆｌｏｗ−ｒｅｇｕｌａｔｉｎｇ  ｄｅｖｉｃｅ）１４６があることを特徴とする、（２３）に記載の装置。
（３１） 第三の液体の入口ダクト１６２内に、流れ調節装置１６４があることを特徴とする、（２７）に記載の装置。
（３２） 抄紙機２２のヘッドボックス３６内に供給された繊維懸濁液流内に保留用化学薬剤を混合するための装置であって、
前記装置は、前記保留用化学薬剤の前処理（ｐｒｅｔｒｅａｔｍｅｎｔ）用の装置４０、及び抄紙機内に供給された繊維懸濁液のフローチャネルに関連して配置された繊維懸濁液流内に保留用化学薬剤を供給するための装置を含み、
前記供給装置は混合装置３４を含み、混合装置の中に保留用化学薬剤と少なくとも一つの供給液体の両方が導入される、ことを特徴とする、前記装置。
（３３） 前記混合装置３４に保留用化学薬剤管５６が備えられていることを特徴とする、（３２）に記載の装置。
（３４） 前記管５６が接線方向であることを特徴とする、（３３）に記載の装置。
（３５） 前記混合装置３４が、保留用化学薬剤をその供給液体と共に繊維懸濁液流内に供給するための開口５８、及び、供給液体パイプ４４、４４’を固定するための手段５２を有するケーシング５０を本質的に含むことを特徴とする、（３２）に記載の装置。
（３６） 外側シェル５９を介して（ｖｉａ）前記ケーシング５０の内部を該シェル５９の外側の環状空間と該シェル５９の内側の空間とに分ける部材６０が、前記混合装置３４のケーシング５０の内側にあることを特徴とする、（３２）に記載の装置。
（３７） 前記環状空間が、開口５８を通って繊維懸濁液流チャネル（フローチャネル）７８の中に、及び、開口６４を通って前記シェル５９の内側の空間の中に開いている、ことを特徴とする、（３２）に記載の装置。
（３８） 前記部材６０の手段により、ケーシング５０を通って導く前記流れの断面積が、混合装置３４での流速を増加させるために、減少される、ことを特徴とする、（３６）に記載の装置。
（３９） 前記管５６が前記部材６０内に接線方向に開いていることを特徴とする、（３６）に記載の装置。
（４０） 前記シェル５９と共に部材６０の内側に環状空間を与える第二のシェル６１が、部材６０の中に外側シェル５９の内側にあることを特徴とする、（３６）に記載の装置。
（４１） 前記環状供給開口５８の内側に配置された部材６０の中に、保留用助剤（ｒｅｔｅｎｔｉｏｎ  ａｉｄ：歩留り向上剤）用の環状の開口６４があることを特徴とする、（４０）に記載の装置。
（４２） シェル６１により制限された前記空間が、軸対称であり、第二の液体の入口ダクト（ｉｎｌｅｔ  ｄｕｃｔ）４４、１４４と接続されていることを特徴とする、（４０）に記載の装置。
（４３） シェル６１によりその内側に制限された前記空間が、第三の液体の入口ダクト１６４と接続されていることを特徴とする、（４０）に記載の装置。
（４４） 前記装置３４の軸方向に前記部材６０の外側シェル５９の延長部（ｅｘｔｅｎｓｉｏｎ）が調整可能であることを特徴とする、（３６）に記載の装置。
（４５） 前記装置３４の軸方向に前記部材６０の内側シェル６１の延長部が調整可能であることを特徴とする、（３６）に記載の装置。
（４６） 供給液体の入口ダクト４４、１４４に、流れ調節装置（ｆｌｏｗ−ｒｅｇｕｌａｔｉｎｇ  ｄｅｖｉｃｅ）１４６が備えられていることを特徴とする、（３２）に記載の装置。
（４７） 第三の液体の入口ダクト１６２に、流れ調節装置１６４が備えられていることを特徴とする、（４３）に記載の装置。
（４８） 少なくともガス分離タンク２８、ヘッドボックススクリーン３２、ヘッドボックススクリーン３２からヘッドボックス３６へ通じているフィードパイプ７０、抄紙機２２のヘッドボックス３６、保留用助剤の前処理用の装置４０、ヘッドボックス３６の中に供給された繊維懸濁液流の中に保留用助剤を導入するための装置、及び、白水を回収するための装置４６を含む抄紙機供給システムであって、
保留用化学薬剤供給装置が混合装置３４を含み、前記混合装置の中に保留用化学薬剤と供給液体の両方が導入される、
ことを特徴とする、前記システム。
（４９） 白水を保留用化学薬剤供給液として利用するために、前記混合装置３４が、パイプ４４を介して白水回収用装置４６と接続されている、ことを特徴とする、（４８）に記載の供給システム。
（５０） ヘッドボックス３２にスロットドラム（ｓｌｏｔ  ｄｒｕｍ）が備えられており、それにより、ヘッドボックススクリーン３２とヘッドボックス３６との間の供給パイプ７０上に前記混合装置３４が固定されている、ことを特徴とする（４８）に記載の供給システム。
（５１） 前記混合装置３４がヘッドボックススクリーン３２の受入管（ａｃｃｅｐｔ  ｃｏｎｄｕｉｔ）７２上に固定されていることを特徴とする、（５０）に記載の供給システム。
（５２） ヘッドボックススクリーン３２の受入管７２が本質的に長方形であることを特徴とする、（５１）に記載の供給システム。
（５３） 前記混合装置３４がヘッドボックススクリーン３２の受入管７２の２つの側に固定されていることを特徴とする、（５１）に記載の供給システム。